(57)【特許請求の範囲】
【請求項１】
主内容物を収納する容器本体（２）と、
該容器本体（２）の口筒部（３）に装着されたノズル（１０）と、
副内容物を収納するブースター容器（２０）と、
内容物取り出し手段（７）を備えた混合容器であって、
該ノズル（１０）が、
前記口筒部（３）に装着される筒状の下層部（１１）と、前記下層部（１１）の上端部に繋がって前記下層部（１１）よりも小径な筒状の上層部（１３）と、前記下層部（１１）の内面に設けられて内部に内容物を連通させる開口部を有する中間壁部（１４）と、を備えて一体的に形成され、
該中間壁部（１４）から突起体（１５）が上層部（１３）内に起立され、
該ブースター容器（２０）が、
前記ノズル（１０）の前記上層部（１３）に装着可能な筒状の下層部（２１）と、前記下層部（２１）の上端部に繋がって前記下層部（２１）よりも小径な筒状の上層部（２３）と、前記下層部（２１）の内面に設けられて内部に内容物を連通させる開口部を有する中間壁部（２４）と、を備え、
該中間壁部（２４）から突起体（２５）が前記上層部（２３）内に起立され、
該中間壁部（２４）の下側端面より下方に筒状の内筒部（２６）を備え、該内筒部（２６）の内筒開口部はシール部材（２７（２７ｂ））で封止され、
上層部（２３）に上端開口部を備え、該上端開口部はシール部材（２７（２７ａ））で封止され、
該ブースター容器（２０）の前記下層部（２１）に、該ノズル（１０）の前記上層部（１３）を連結させた場合に、前記内筒部（２６）が前記上層部（１３）の内面に嵌合されて、該ブースター容器（２０）の内筒開口部の該シール部材（２７ｂ）が、該ノズル（１０）の該突起体（１５）に当接して破断可能である、
ことを特徴とする混合容器。
【請求項２】
前記ブースター容器（２０）を複数備えた請求項１に記載の混合容器。
【請求項３】
一方のブースター容器（２０（２０ａ））の上層部（２３）に、他方のブースター容器（２０（２０ｂ））の下層部（２１）を連結させることができ、該ブースター容器（２０、２０）同士を連結させた場合に、該一方のブースター容器（２０ａ）の上端開口部の前記シール部材（２７ａ）及び該他方のブースター容器（２０ｂ）の内筒開口部の前記シール部材（２７ｂ）が、破断可能な構成である請求項１又は２に記載の混合容器。
【請求項４】
前記中間壁部（１４、２４）が、２つの区割り壁が直交する十字形状であり、該中間壁部（１４、２４）の中央部から十字状に前記突起体（１５、２５）が起立されている請求項１〜３のいずれかに記載の混合容器。
【請求項５】
前記突起体（１５、２５）及び前記内筒部（２６）の下端部が、一方から他方にかけて傾斜する片勾配の傾斜面を有する請求項１〜４のいずれかに記載の混合容器。
【請求項６】
前記ブースター容器（２０）が、透明な合成樹脂材料で形成されている請求項１〜５のいずれかに記載の混合容器。
【請求項７】
前記ノズル（１０）が前記口筒部（３）に着脱自在に設けられている請求項１〜６のいずれかに記載の混合容器。
【請求項８】
前記内容物取り出し手段（７）を別途備え、前記口筒部（３）に着脱自在である請求項１〜６のいずれかに記載の混合容器。
【発明の詳細な説明】
【技術分野】
【０００１】
本発明は、２種類以上の内容物を混合して提供する混合容器に関する。
【背景技術】
【０００２】
飲料、薬剤又は化粧料等の容器内容物にある種の添加物を使用時に添加混合する必要がある場合、容器蓋に添加物を収容しておき、容器蓋を容器口筒部に装着したままの状態で添加物を容器内に混入させ、容器内容物と混合させる混合容器蓋又は混合容器が、従来から広く用いられており、数多くの構造が提案されている。
【０００３】
例えば、特許文献１には、第１成分を収容するボトルと、第２成分を収容するホルダーと、ボトルの口部に装着され、ボトルの口部に沿ってボトル方向に移動可能なノズルキャップを備え、ノズルキャップをボトル方向へ移動させることによって、ボトル内部で第１成分と第２成分を混合させ、その混合液をノズルキャップを介して吐出する２成分混合容器が開示されている。しかしながら、上記のような混合容器は、その構成品数が多く、また構造が複雑であり、蓋体の組立作業が面倒であるなどの課題があった。
【０００４】
また、従来公知の混合容器蓋では、容器蓋内に収容されている添加物を容器内に落下させて混合する操作が、一般の消費者には判り難かったり、又は誤操作により添加物を容器内に落下させずに、そのまま容器蓋を開封してしまうという課題もあった。
【先行技術文献】
【特許文献】
【０００５】
【特許文献１】特開２００６−２１３３３２号公報
【発明の概要】
【発明が解決しようとする課題】
【０００６】
本発明の目的は、上記した従来技術における課題をすることであり、構成品数が少なく、内容物を混合させるための操作性に優れて混合操作が容易であり、且つ内容物を混合させる操作に失敗がないよう、確実に内容物の混合が可能である混合容器を提供することである。
【課題を解決するための手段】
【０００７】
上記課題の解決手段として、本発明に係る混合容器は、
主内容物を収納する容器本体と、
該容器本体の口筒部に装着されたノズルと、
副内容物を収納するブースター容器と、
内容物取り出し手段を備えた混合容器であって、
該ノズルが、
前記口筒部に装着される筒状の下層部と、前記下層部の上端部に繋がって前記下層部よりも小径な筒状の上層部と、前記下層部の内面に設けられて内部に内容物を連通させる開口部を有する中間壁部と、を備えて一体的に形成され、
該中間壁部から突起体が上層部内に起立され、
該ブースター容器が、
前記ノズルの前記上層部に装着可能な筒状の下層部と、前記下層部の上端部に繋がって前記下層部よりも小径な筒状の上層部と、前記下層部の内面に設けられて内部に内容物を連通させる開口部を有する中間壁部と、を備え、
該中間壁部から突起体が前記上層部内に起立され、
該中間壁部の下側端面より下方に筒状の内筒部を備え、該内筒部の内筒開口部はシール部材で封止され、
上層部に上端開口部を備え、該上端開口部はシール部材で封止され、
該ブースター容器の前記下層部に、該ノズルの前記上層部を連結させた場合に、前記内筒部が前記上層部の内面に嵌合されて、該ブースター容器の内筒開口部の該シール部材が、該ノズルの該突起体に当接して破断可能である、
ことを特徴とする。
【０００８】
この構成では、構成品数が少なく、内容物を混合させるための操作性に優れ、混合操作が容易である。また、容器同士を連結さるだけなので内容物を混合させる操作が失敗し難く、確実に内容物の混合が可能である。
【０００９】
また、本発明に係る別の混合容器は、ブースター容器を複数備えている。
【００１０】
上記構成では、副内容物（添加物）となるブースター容器を複数備えており、これらの組み合わせを適宜変更できるため、例えば、同じ添加物を複数用いたり、それぞれ異なる添加物を組み合わせたりし、混合物の配合を消費者の好みに応じて変更することが可能である。
【００１１】
また、本発明に係る別の混合容器は、一方のブースター容器の上層部に、他方のブースター容器の下層部を連結することができ、ブースター容器同士を連結した場合に、一方のブースター容器の上端開口部のシール部材及び他方のブースター容器の内筒開口部のシール部材が、破断可能な構成である。
【００１２】
上記構成では、ブースター容器同士を連結可能であるので、予め副内容物（添加物）を混合させてから、主内容物に混合することができ、また、ブースター容器の連結数により混合物の配合割合を、消費者の好みに応じて変更することができる。
【００１３】
また、本発明に係る別の混合容器は、ノズルとブースター容器の内部の中間壁部は共に、２つの区割り壁が直交する十字形状であり、中間壁部の中央部から十字状に突起体が起立している。
【００１４】
上記構成では、中間壁部が十字形状、つまり内面部にて梁状に架け渡っていることにより、内容物が梁状の中間壁部を通過する際に乱流状態となることで効率的な撹拌が行え、かつ突起体が中央部から十字状に起立していることで、シール部材の破断時に応力が掛った際も安定して保持可能であり、ブースター容器の内筒部下端部のシール部材を確実に破断させることが達成される。
【００１５】
また、本発明に係る別の混合容器は、ブースター容器とノズルの突起体及び内筒部の下端部が、一方から他方にかけて傾斜する片勾配の傾斜面を有する。
【００１６】
上記構造では、片勾配の傾斜面によって鋭利な箇所が生し、この鋭利な箇所によってシール部材を確実に破断させることが達成させる。
【００１７】
また、本発明に係る別の混合容器は、ブースター容器が透明な合成樹脂材料で形成されている。
【００１８】
上記構成では、透明な合成樹脂材料によってブースター容器の内容物を目視できるため、ブースター容器内部での撹拌による混合具合を確認することができる。
【００１９】
また、本発明に係る別の混合容器は、ノズルが口筒部に着脱自在に設けられ、また、内容物取り出し手段を別途備え、口筒部に着脱自在である。
【００２０】
上記構成では、ノズルが着脱自在であり、消費者の利用目的に応じて別の内容物取り出し手段に変更することができる。
【発明の効果】
【００２１】
本発明の上記した構成においては、以下に示す効果を奏する。
本発明では、構成品数が少なく、内容物を混合させるための操作性に優れ、混合操作が容易である。また、容器同士を連結さるだけなので内容物を混合させる操作は失敗し難く、確実に内容物の混合が可能である。更に、添加物となるブースター容器の組み合わせを適宜変更できるため、混合物の配合割合を消費者の好みに応じて変更することが可能である。
【図面の簡単な説明】
【００２２】
【図１】本発明で用いられるブースター容器の縦断面図である。
【図２】ブースター容器同士の連結の様子とノズルキャップが付いた容器本体の縦断面図である。
【図３】連結したブースター容器をノズルの付いた容器本体に連結する際の縦断面図である。
【図４】ブースター容器が容器本体に組み付いた混合容器に縦断面図である。
【図５】内容物取り出し手段を組み付けた容器本体の部分縦断面図である。である。
【発明を実施するための形態】
【００２３】
以下、本発明にかかる実施の形態について図面を参照しつつ説明する。
【００２４】
図１は本発明で用いられるブースター容器の縦断面図であり、図２はブースター容器同士の連結の様子とノズルキャップが付いた容器本体の縦断面図であり、図３は連結したブースター容器をノズルの付いた容器本体に連結する際の縦断面図であり、図４はブースター容器が容器本体に組み付いた混合容器に縦断面図であり、図５は内容物取り出し手段を組み付けた容器本体の部分縦断面図である。
【００２５】
ブースター容器２０は図１に示されるように全体的に円筒形状であり、大径部の下層部２１と小径部の上層部２３が中間の肩部２２で区分けされる。下層部２１の内周面には下層雌ネジ突条２１ａが刻設されており、上層部２３の外周面には上層雄ネジ突条２３ａが刻設されている。ブースター容器２０の内部中間には、内容物が通過可能な隙間を有するように十字形状に２つの区割り壁が直交する中間壁部２４が内面部にて梁状に架け渡っており、その中間壁部２４の中央部からは十字状に直交する突起体２５が起立している。なお、突起体２５は後述するブースター容器連結時に他方のブースター容器２０の内筒開口部のシール部材２７を破断させ易くするために、上に凸な傾斜面を設けて鋭利な箇所を備えていることが好ましい。中間壁部２４の内端面より下方には、円筒状の内筒部２６が設けられており、その内筒部２６の内筒開口部は破断可能なシール部材２７（２７ｂ）で封止されている。また、上層部２３の上端開口部も破断可能なシール部材２７（２７ａ）で封止されている。そして、内筒部２６もまたブースター連結時に他方のブースター容器２０の上端開口部のシール部材２７ａを破断させ易くするために、下に凸な傾斜面を設けて鋭利な箇所を備えていることが好ましい。ブースター容器２０の内部に内容物である添加剤が収納され、シール部材２７によって密閉されている。そして内筒部２６の外周基部には、外側に拡径したシール部２８が設けられている。なお、ブースター容器２０の下層雌ネジ突条２１ａ、上層雄ネジ突条２３ａは共に、後述するノズル１０から螺脱しようとした際に、ブースター容器２０と共にノズル１０が共回りして緩むことを防止するため逆ネジ構造であることが好ましい。
【００２６】
容器本体２は、例えば合成樹脂材料をブロー成形することによって成形され、上端の口筒部３の下方に肩部４、胴部５及び底部６を備えるように構成されている。口筒部３の外周面には雄ネジ突条３ａが刻設されており、後述するノズル１０や内容物取り出し手段７が螺着できるようになっている。
【００２７】
容器本体２の口筒部３に着脱自在に装着されるノズル１０は、上述したブースター容器２０において内筒部２６が無い以外は殆ど同形状であり、大径部の下層部１１と小径部の上層部１３が中間の肩部１２で区分けされる。そして、下層雌ネジ突条１１ａと上層雄ネジ突条１３ａが刻設され、内部中間には内容物が通過可能な隙間を有するように十字形状に２つの区割り壁が直交する中間壁部１４が設けられ、その中間壁部１４の中央部からは十字状に直交する突起体１５が起立しており、上に凸な傾斜面で鋭利な箇所を有する。ノズル１０の肩部１２の内周面には、口筒部３の内周面に組付きブースター容器２０から容器本体２に内容物が移動する際に漏れを防止のシール突起が形成されている。
【００２８】
ノズル１０の上層雄ネジ突条１３ａには、ノズルキャップ１６の雌ネジ突条１７が螺着でき、ノズルキャップ１６の下面にはノズル１０の上端部に当接して上端内周面をシールするシール突起１８が形成され、内部を封止することができる。なお、ノズルキャップ１６の雌ネジ突条１７は、逆ネジに螺条されている。これによって、ノズルキャップ１６をノズル１０及び容器本体２から螺脱しようとした際に、ノズルキャップ１６と共にノズル１０が共回りして緩むことを防止することが可能となる。
【００２９】
次に、内容物を混合させる実施形態について説明する。
まず、図１に示される状態から図２に示されるブースター容器２０、２０同士を連結させるために、第１ブースター容器２０ａの上層部２３に第２ブースター容器２０ｂの下層部２１を組み合わせるように、第１ブースター容器２０ａの上層雄ネジ突条２３ａに第２ブースター容器２０ｂの下層雌ネジ突条２１ａを螺着させる。その際に、第１ブースター容器２０ａの上端部のシール部材２７ａが、第２ブースター容器２０ｂの内筒部２６によって破断する。
【００３０】
ブースター容器２０、２０同士の螺着を進めていくと、図３に示されるように、第１ブースター容器２０ａの突起体２５によって、第２ブースター容器２０ｂの内筒部２６のシール部材２７ｂが破断される。第２ブースター容器２０ｂのシール部材２７ｂの破断で、第２ブースター容器２０ｂに収容されていた内容物が、第１ブースター容器２０ａの内部に混入する。混入した内容物をより混ざり合うように、連結したブースター容器２０、２０同士を上下・左右方向に揺さ振り撹拌させる。この撹拌時には、混合物がブースター容器２０内に梁状に架かっている十字形状の中間壁部２４の隙間を通過する際に乱流状態となることによって、混合物の効果的な撹拌が可能となる。撹拌時に内容物が漏れ出ないように、第２ブースター容器２０ｂの内筒部２６外周基部のシール部２８が第１ブースター容器２０ａの上層部２３内周面と密着して気密性を保持する。なお、破断したシール部材２７ａが、シール部２８と上層部２３内周面の間に噛み込んでも気密性を維持する構造となっている。また、ブースター容器２０が内容物を目視できる透明な合成樹脂材料で形成されていると、ブースター容器２０内部での撹拌による混合具合を確認することが可能となる。
【００３１】
ブースター容器２０、２０同士が連結した状態で、容器本体２にノズル１０を介して装着されていたノズルキャップ１６を逆ネジでの緩む時計方向に回動させて螺脱させたノズル１０に組み合わせる。ブースター容器２０とノズル１０の螺着を進めていくと、図４に示されるようにノズル１０の突起体１５によって、第１ブースター容器２０ａの内筒部２６のシール部材２７ｂが破断される。上記一連のシール部材２７を破断する突起体１５、２５は、中間壁部１４、２４の中央部から十字状に起立していることにより、シール部材２７の破断時に応力が掛った際も安定して保持可能であり、確実にシール部材２７を破断させることができる。
【００３２】
シール部材２７ｂの破断により、第１ブースター容器２０ａと第２ブースター容器２０ｂの内容物の混合物が、ノズル１０の中間壁部１４の隙間を通って容器本体２内部に混入し、容器本体２内部の押し出された空気は中間壁部１４の隙間を通りブースター容器２０内部に移動する。その後、より混合物を混ざり合うように、ブースター容器２０が連結したまま容器本体２を上下・左右方向に揺さ振り撹拌させる。容器本体２内部には、ボール状の撹拌部材８が備えられ効率的に撹拌することが可能である。
【００３３】
図３及び図４では、ブースター容器２０、２０同士が連結した状態で撹拌し、その後、ブースター容器２０を容器本体２に装着して更に撹拌を行っているが、ブースター容器２０、２０同士を連結して未撹拌状態のまま容器本体２に装着し、この状態から撹拌を行っても構わない。
【００３４】
容器本体２の内容物の撹拌後、ノズル１０を螺脱方向に回動させてノズル１０及びブースター容器２０を取り外し、容器本体２の口筒部３に別途の内容物取り出し手段７として、ポンプ機能部とシリンダーを備えたポンプを装着することで混合物を取り出せる。
【００３５】
本発明の混合容器１は、主内容物が収容される容器本体２と副内容物（添加物）が収容されるブースター容器２０が添加混合した混合内容物を収納することになる。内容物としては、例えば液状、クリーム状、粒状及び粉体等が挙げられ、それぞれ単相の液体だけ、粒状だけに限定させるものではなく、粒状＋液体や液体＋粉体などの二相混合物であっても構わない。例えば、ドレッシングを作成しようとすると、容器本体２の主内容物のオイル類（液体）に、ブースター容器２０の副内容物（添加物）として、抽出エッセンス成分（液体）、塩や胡椒やハーブ等の香辛料（粉体）を組み合わせて混合して撹拌することができる。添加物となるブースター容器２０の組み合わせを適宜変更することによって、混合物の配合割合を、消費者の好みに応じて変更することができる。
【００３６】
以上、実施形態に沿って本発明の構成とその作用効果について説明したが、本発明の実施の形態は上記実施形態に限定されるものではない。
【００３７】
本発明では、ブースター容器２０として第１ブースター容器２０ａ及び第２ブースター容器２０ｂを説明したが、添加混合させる種類によって第３ブースター容器２０ｃ、第４ブースター容器２０ｄなどといったようにブースター容器は順次増やすことができるし、添加混合するのが少量であれば第１ブースター容器２０ａだけでも構わない。
【００３８】
そして、本発明では、中間壁部１４、２４及び突起体１５、２５を十文形状としたが、形状はこれらに限定されるものではなく、適宜変更可能である。また、シール部材２７を破断させるために突起体１５、２５及び内筒部２６下端部の傾斜面は、一方から他方にかけて傾斜する片勾配だけではなく、例えば、突起体１５、２５では円錐状になるような両端から中央に傾斜する両勾配であっても構わない。
【００３９】
更に、上記実施形態では、ノズルキャップ１６の雌ネジ突条１７及びブースター容器２０の下層雌ネジ突条２１ａ、上層雄ネジ突条２３ａを逆ネジ構造としたが、容器本体２の口筒部３の下部に外周方向にフランジ状の凸部を設け、ノズル１０の最下端部に乗越え凸部を設けて乗越え係止させる構成とすれば、上記雌ネジ突条１７、下層雌ネジ突条２１ａ、上層雄ネジ突条２３ａは正ネジ構造であっても構わない。
【００４０】
なお、内容物取り出し手段７としてはポンプに限定されるものではなく、例えば、中栓、スポイト及び上部にハケ状部材を備えた塗布手段を用いてもよい。更には、ノズル１０をそのまま内容物取り出し手段７として用いてもよいし、ノズル１０を取り外した口筒部３を内容物取り出し手段７としても構わない。
【産業上の利用可能性】
【００４１】
以上説明したように、本発明は、２種類以上の内容物を混合する混合容器の分野における用途展開をさらに広い領域で図ることができる。
【符号の説明】
【００４２】
１  ；混合容器
２  ；容器本体
３  ；口筒部
３ａ；雄ネジ突条
４  ；肩部
５  ；胴部
６  ；底部
７  ；内容液取り出し手段
８  ；撹拌部材
１０  ；ノズル
１１  ；下層部
１１ａ；下層雌ネジ突条
１２  ；肩部
１３  ；上層部
１３ａ；上層雄ネジ突条
１４  ；中間壁部
１５  ；突起体
１６  ；ノズルキャップ
１７  ；雌ネジ突条
１８  ；シール突起
２０  ；ブースター容器
２０ａ；第１ブースター容器
２０ｂ；第２ブースター容器
２１  ；下層部
２１ａ；下層雌ネジ突条
２２  ；肩部
２３  ；上層部
２３ａ；上層雄ネジ突条
２４  ；中間壁部
２５  ；突起体
２６  ；内筒部
２７  ；シール部材
２７ａ；（上端開口部）シール部材
２７ｂ；（内筒開口部）シール部材
２８  ；シール部
【図１】
0006584335.tif 000002
【図２】
0006584335.tif 000003
【図３】
0006584335.tif 000004
【図４】
0006584335.tif 000005
【図５】
0006584335.tif 000006